(57)【要約】【課題】従来から市販されている子供用プールにも適用することができて、プール内を狭くすることもなく、子供の安全を図ることのできる日除けを、簡単な構成によって提供すること。【解決手段】上下に重なったエア室２１ａ内に空気を入れることにより形成されるプール側壁２１と、このプール側壁２１の底面に形成される底壁とにより囲まれる空間内に水を注入して形成される子供用プール２０に取り付けられる日除け１０であって、空気を入れることにより柱状となる複数の柱状袋１１と、これら各柱状袋１１間に張設される日除けシート１３と、柱状袋１１の先端部に形成されて、子供用プール２０のプール側壁２１の上端に係合されるエア爪部とにより構成したこと。【選択図】図１
2006152549.tif 000002
【特許請求の範囲】
【請求項１】
上下に重なったエア室内に空気を入れることにより形成されるプール側壁と、このプール側壁の底面に形成される底壁とにより囲まれる空間内に水を注入して形成される子供用プールに取り付けられる日除けであって、
空気を入れることにより柱状となる複数の柱状袋と、これら各柱状袋間に張設される日除けシートと、前記柱状袋の先端部に形成されて、前記子供用プールの前記プール側壁の上端に係合されるエア爪部とにより構成したことを特徴とする子供用プールのための日除け。
【請求項２】
前記各柱状袋を略直線状のものとするとともに、これらの各柱状袋を放射状に配置したことを特徴とする請求項１に記載の日除け。
【発明の詳細な説明】
【技術分野】
【０００１】
本発明は、ビニール等の軟質合成樹脂シートから形成される幼児用プールに使用される日除けに関するものである。
【背景技術】
【０００２】
ビニール等の軟質合成樹脂シートから形成される幼児用プール２０は、図１及び図５に示すように、上下に連なった複数段のエア室２１ａを有する側壁２１と、この側壁２１の底面に形成される底壁２２とを備えていて、各エア室２１ａ内にエアを注入することにより側壁２１の剛性を高めて、家庭の庭先でも簡単に使用できるようにしたものである。逆に言えば、この子供用プール２０は、各エア室２１ａの空気を抜けば小さく折り畳むことができるものであり、使用しないときの保管も簡単に行えるものである。
【０００３】
しかも、この子供用プール２０は、ビニール等の軟質合成樹脂シートから形成されるものであることから非常に安価であり、子供が大きくなったり使用できる兄弟が増えたりして大型のものが必要になったときには、容易に買い足しができるものである。勿論、製造や意匠変更も簡単に行えるものである。
【０００４】
このように便利な子供用プール２０であるが、従来一般的なものでは、夏の暑い日に子供が使用するものであるにも拘わらず日除けが全くないものであった。そこで、本発明者が、この種の子供用プール２０について日除けも付けるにはどうしたらよいか、について検討を重ねたところ、特許文献１に記載されているような技術が見つかった。
【特許文献１】特開２０００−５４６７０号公報、要約、代表図、図２
【発明の開示】
【発明が解決しようとする課題】
【０００５】
この特許文献１に記載された発明は、「水遊び用プ−ル」に関するものであり、図７及び図８に示すように、「パラソル３の支柱３０を立てるための支持具４がプール底材１０に取り付けられるようにした水遊び用プール１であって、組付け穴２０が形成された口縁部材２がプール底材に固定され、前記支持具が、プール底材の裏面側に配設される支持底板４０と、組付け穴に嵌合してプール底材の表面から突出するように支持底板に立設された支持管４１とを備えている」構成を有したものである。
【０００６】
しかしながら、この特許文献１の「水遊び用プ−ル」では、上述したように、プール底材１０にパラソル３の支柱３０を立てるための支持具４を取り付けるものであるから、プール底材１０は支持具４を取り付けられる程度の剛性や強度を有していなければならないものである。換言すれば、この特許文献１の技術では、底壁について折り畳みができるように軟質合成樹脂シートによって簡単に構成する、と言うわけには行かないのである。
【０００７】
また、この特許文献１のプールでは、プール底材１０にパラソル３の支柱３０を立てるための支持具４を取り付けたものであるから、従来から提供されている図１に示すようなプールには適用することができないだけでなく、全体の構造が非常に複雑化して高価なものとなっていると考えられるのである。
【０００８】
しかも、この特許文献１のプールでは、図８に示すように、プールの中に支持具４や、これに支えられている支柱３０が立つことになるから、プール内が狭くなってしまい、子供（達）が自由に遊べなくなってしまうのである。しかも、支柱３０等は剛性の高い材料によって形成しなければならない筈であるから、これが子供達にとって危険物となり得ることは、当然考えられる。
【０００９】
そこで、本発明者は、プールに簡単に取り付けられて、子供達のための日除けを安全に行えるようにするにはどうしたらよいか、について種々検討を重ねてきた結果、本発明を完成したのである。
【００１０】
すなわち、本発明の目的とするところは、従来から市販されている子供用プールにも適用することができて、プール内を狭くすることもなく、子供の安全を図ることのできる日除けを、簡単な構成によって提供することにある。
【課題を解決するための手段】
【００１１】
以上の課題を解決するために、まず、請求項１に係る発明の採った手段は、後述する最良の形態の説明中において使用する符号を付して説明すると、
「上下に重なったエア室２１ａ内に空気を入れることにより形成されるプール側壁２１と、このプール側壁２１の底面に形成される底壁２２とにより囲まれる空間内に水を注入して形成される子供用プール２０に取り付けられる日除け１０であって、
空気を入れることにより柱状となる複数の柱状袋１１と、これら各柱状袋１１間に張設される日除けシート１３と、柱状袋１１の先端部に形成されて、子供用プール２０のプール側壁２１の上端に係合されるエア爪部１２とにより構成したことを特徴とする子供用プール２０のための日除け１０」
である。
【００１２】
すなわち、この請求項１に係る日除け１０は、例えばビニール等の軟質合成樹脂シートを裁断して溶着することにより形成され、子供用プール２０とは別体に形成されているものである。そして、この日除け１０は、エアを注入することにより図１等に示すような柱形状のものとなる複数の柱状袋１１と、これらの柱状袋１１間に張設される日除けシート１３とを有しているもので、これらの柱状袋１１及び日除けシート１３を、上述したビニール等の軟質合成樹脂シートによって形成したものである。
【００１３】
また、この日除け１０を構成している各柱状袋１１の先端部には、図４の（イ）及び図５に示すようなエア爪部１２が形成してあり、図５に示すように、これらのエア爪部１２が子供用プール２０の側壁２１の上端に係合されるのである。このエア爪部１２は、柱状袋１１の先端部を図５に示すような「Ｃ字状」にカットして形成したもので、柱状袋１１のエア室１１ａ内に注入されたエアによって剛性が確保されるものである。
【００１４】
つまり、この日除け１０においては、その各柱状袋１１内にエアを注入すると、エア爪部１２内にもこのエアが注入されるのであり、これにより、このエア爪部１２は、子供用プール２０を構成している側壁２１の上端を挟み込めるような形状であって、その挟み込み状態を所定の剛性を有した状態で維持できるものとなるのである。
【００１５】
ところで、本発明に係る日除け１０が取り付けられる対象物であって、従来より使用されている子供用プール２０の側壁２１は、例えば図１及び図５に示すように、上下に連結されて横方向に連続した複数のエア室２１ａを有しているものであり、これら各エア室２１ａは、その中にエアを注入すると、図５中の仮想線にて示すように、断面が円形のものとなる。何故なら、このエア室２１ａもビニール等の軟質合成樹脂シートによって形成してあるから、注入されたエアの圧力がエア室２１ａの内面に均等に係るからである。そうなると、この子供用プール２０の側壁２１を構成している一番上のエア室２１ａの断面形状は、図５にも示したように、本発明に係る日除け１０の各柱状袋１１の先端に形成したエア爪部１２の間の形状と同じになる。
【００１６】
そこで、本発明に係る日除け１０をこの子供用プール２０に取り付けるには、図５に示したように、剛性の高まった各エア爪部１２を、子供用プール２０を構成している側壁２１の上端のエア室２１ａ外周に無理嵌めするのである。各エア爪部１２の剛性が高まっていると言っても、この剛性はエアによって確保されているものであるし、エア爪部１２自体を構成している材料も軟質合成樹脂であるから、各エア爪部１２の側壁２１に対する取付けは、各エア爪部１２を手で押し広げることにより簡単に行える。無理嵌め下後にエア爪部１２からてを離せば、これらのエア爪部１２は子供用プール２０の側壁２１に係合され、各エア爪部１２の剛性によってその状態は維持されることになる。
【００１７】
そして、柱状袋１１の各エア爪部１２以外の部分も内部のエア圧によって剛性が高いものとなっているから、当該日除け１０は、図１〜図３に示すように、子供用プール２０の側壁２１に支持されることになり、各柱状袋１１間に設けた日除けシート１３が拡げられることになるのである。つまり、子供用プール２０の上方は、当該日除け１０によって覆われることになり、中の子供は、太陽光から保護されることになるのである。勿論、この日除け１０は、図１にも示したように、子供用プール２０の上方の全てを覆うのではないから、子供用プール２０に対する子供の出入りに障害になることもなく、太陽とは反対側の面を大きく開けるものであるから、子供に不安を与えるものでもない。
【００１８】
また、当該日除け１０は、各柱状袋１１の先端部に形成してあるエア爪部１２を子供用プール２０側の側壁２１上に係合させるだけで子供用プール２０に取り付けることができるのであるから、子供用プール２０が図１に示すような小型のものであっても、また図５に示すような図１のものより大型のものであっても、簡単に使用できるのである。そして、この請求項１の日除け１０では、使用時の開口部を構成している各柱状袋１１が門型のものであってもよいのである。
【００１９】
従って、この請求項１の発明に係る日除け１０は、ビニールシート等の軟質合成樹脂シートから簡単に製造することができるだけでなく、従来から市販されている子供用プール２０にも適用することができて、プール内を狭くすることもなく、子供の安全を図ることができるものとなっているのである。
【００２０】
上記課題を解決するために、請求項２に係る発明の採った手段は、上記請求項１に記載の日除け１０について、
「各柱状袋１１を略直線状のものとするとともに、これらの各柱状袋１１を放射状に配置したこと」
である。
【００２１】
すなわち、この請求項２の発明に係る日除け１０は、図１〜図６に示すように、各柱状袋１１を略直線状のものとするとともに、これらの各柱状袋１１を放射状に配置したものであり、各柱状袋１１が簡単な構造で「柱」の役割が果たせるようにしたものである。
【００２２】
つまり、各柱状袋１１が略直線状のものとなっていることにより、子供用プール２０の側壁２１に対するエア爪部１２の係合位置を自由に移動させることができるのであり、これによって、使用時における当該日除け１０の高さと、開口部の大きさを自由に調整できるのである。
【００２３】
また、この請求項２の日除け１０では、各柱状袋１１を放射状に配置したことによって、使用時における各柱状袋１１間の角度が自由に調整できるようになっている。つまり、この日除け１０は、その各柱状袋１１を大きく拡げれば日除けとして十分な広さのものとなるし、各柱状袋１１を狭めれば開口を大きく拡げられて、子供の出入りを容易にすることができるとともに、子供の水遊びの邪魔にならないようにすることができるのである。
【００２４】
従って、この請求項２の日除け１０は、上記請求項１のそれと同様な効果を発揮する他、その使用時における形状を好みに応じたものにすることができるのである。
【発明の効果】
【００２５】
以上、詳述した通り、本発明においては、
「上下に重なったエア室２１ａ内に空気を入れることにより形成されるプール側壁２１と、このプール側壁２１の底面に形成される底壁２２とにより囲まれる空間内に水を注入して形成される子供用プール２０に取り付けられる日除け１０であって、
空気を入れることにより柱状となる複数の柱状袋１１と、これら各柱状袋１１間に張設される日除けシート１３と、柱状袋１１の先端部に形成されて、子供用プール２０のプール側壁２１の上端に係合されるエア爪部１２とにより構成したこと」
にその構成上の主たる特徴があり、これにより、従来から市販されている子供用プール２０にも適用することができて、プール２０内を狭くすることもなく、子供の安全を図ることのできる日除け１０を、簡単な構成によって提供することができたのである。
【発明を実施するための最良の形態】
【００２６】
以上のように構成した各請求項に係る発明を、図面に示した最良の形態である日除け１０について説明するが、この最良形態の日除け１０は、上述した各請求項に係る発明の全てを実質的に含むものである。また、以下の説明では、当該日除け１０が使用される子供用プール２０について先に説明することとする。
【００２７】
子供用プール２０は、近年一般的に市販されているものであり、上下に繋がってエアが注入されると円形になる複数のエア室２１ａを有しているものであり、これらのエア室２１ａが側壁２１を構成するものである。また、この側壁２１の下面には底壁２２が一体化されているものであるが、この底壁２２や各エア室２１ａはビニールシート等の軟質合成樹脂シートによって形成したものである。
【００２８】
そして、この子供用プール２０の各エア室２１ａ内にエアを注入することにより、エア室２１ａを構成する側壁２１の各部分は、図５に示したように、断面が円形に膨らむものであり、側壁２１はエア圧による剛性を有した状態で底壁２２上に立ち上がることになるものである。
【００２９】
なお、図６に示した子供用プール２０は、図１〜図５に示したそれよりも大型のものであり、図６の子供用プール２０に使用している日除け１０と、図１の子供用プール２０に使用している日除け１０とは、同じ大きさのものである。
【００３０】
さて、最良形態の日除け１０は、図１〜図６に示したように、まず、空気を入れることにより柱状となる複数の柱状袋１１と、これら各柱状袋１１間に張設される日除けシート１３と、柱状袋１１の先端部に形成されて、子供用プール２０のプール側壁２１の上端に係合されるエア爪部１２とにより構成したものである。
【００３１】
この日除け１０は、例えばビニール等の軟質合成樹脂シートを裁断して、例えば図４の（ロ）に部分的に示すように互いに溶着することにより形成されるものである。勿論、この日除け１０は、上述した子供用プール２０とは別体に形成してある。そして、この日除け１０は、エアを注入することにより図１等に示したような柱形状のものとなる複数の柱状袋１１と、これらの柱状袋１１間に張設される日除けシート１３とを有しているものである。
【００３２】
また、この日除け１０を構成している各柱状袋１１の先端部には、図４の（イ）及び図５に示したようなエア爪部１２が形成してあり、図５に示すように、これらのエア爪部１２が子供用プール２０の側壁２１の上端に係合されるのである。このエア爪部１２は、柱状袋１１の先端部を図５に示したような「柱状袋１１字状」にカットして形成したもので、柱状袋１１のエア室１１ａ内に注入されたエアによって剛性を有したものとなる。つまり、このエア爪部１２は、子供用プール２０を構成している側壁２１の上端を挟み込むものであって、その挟み込み状態を所定の剛性を有した状態で維持できるものである。
【００３３】
日除けシート１３は、例えば一枚のビニールシートを裁断して構成したものであり、各柱状袋１１に溶着されない分部は、図２にも示したように、子供用プール２０側の側壁２１の上端を覆うことができる程度の大きさのものとしてある。
【００３４】
また、この最良形態の日除け１０は、図１〜図６に示したように、各柱状袋１１を略直線状のものとするとともに、これらの各柱状袋１１を放射状に配置したものであり、各柱状袋１１が簡単な構造で「柱」の役割が果たせるようにしてある。つまり、各柱状袋１１を略直線状のものとしたことにより、子供用プール２０の側壁２１に対するエア爪部１２の係合位置を自由に移動させることができ、使用時における当該日除け１０の高さと、開口部の大きさを自由に調整できるものとしてある。
【００３５】
また、この最良形態の日除け１０では、各柱状袋１１を放射状に配置したことによって、使用時における各柱状袋１１間の角度が自由に調整できるようになっている。つまり、この日除け１０は、その各柱状袋１１を大きく拡げれば日除けとして十分な広さのものとなるし、各柱状袋１１を狭めれば開口を大きく拡げられて、子供の出入りを容易にすることができるとともに、子供の水遊びの邪魔にならないようにすることができる。
【図面の簡単な説明】
【００３６】
【図１】本発明に係る日除けを子供用プールに取り付けたときの正面図である。
【図２】同背面図である。
【図３】同平面図である。
【図４】同日除けを示すもので、（イ）はこの日除けを展開したときの平面図であり、（ロ）は（イ）中の１−１線に沿ってみた部分拡大断面図である。
【図５】本発明に係る日除けの先端部の部分拡大側面図である。
【図６】大きさの異なる子供用プールに本発明の日除けを使用したときの正面図である。
【図７】従来の技術を示す斜視図である。
【図８】図７に示したパラソルの固定部を示す部分拡大断面図である。
【符号の説明】
【００３７】
１０    日除け
１１    柱状袋
１１ａ  エア室
１２    エア爪部
１３    日除けシート
２０    子供用プール
２１    側壁
２１ａ  エア室
２２    底壁
【図１】
2006152549.tif 000003
【図２】
2006152549.tif 000004
【図３】
2006152549.tif 000005
【図４】
2006152549.tif 000006
【図５】
2006152549.tif 000007
【図６】
2006152549.tif 000008
【図７】
2006152549.tif 000009
【図８】
2006152549.tif 000010